(57)【要約】【課題】飛び越し走査をプログレッシブ走査に変換する際の画質を改善する。【解決手段】フィールド情報記憶部３１１，３１２，３１３は、入力ビデオ信号をフィールド単位で循環的に記憶する。記憶制御部３１５は、フィールド情報記憶部３１１，３１２，３１３を制御する。比較器３１６は、記憶部３１１，３１３に記憶されているフィールド情報を比較する。これにより、入力ビデオ信号が動画像を含むかどうかが検出される。記憶制御部３１５は、比較器３１６から出力されるフィールド単位比較情報に応じて、出力すべき映像情報を決定する。動画を含まない場合、記憶制御部３１５は、記憶部３１１，３１２に記憶されているフィールド情報を内部水平同期信号のタイミングで交互に出力する。動画を含む場合、記憶制御部３１５は、記憶部３１１に記憶されているフィールド情報のみを出力水平同期信号の２回に１回の割合で出力する。【選択図】　図１
2004056316.tif 000002
【特許請求の範囲】
【請求項１】
飛び越し走査の映像情報を受信する受信手段と、
前記受信手段により受信した映像情報を一時記憶する映像情報記憶手段と、
前記映像情報記憶手段に記憶されている映像情報に動画情報が含まれていることを検出する動画像検出手段と、
前記映像情報記憶手段に記憶されている映像情報を任意の情報量に変換する解像度変換手段と、
を備え、
前記解像度変換手段は、前記動画像検出手段による検出結果に応じ、変換する情報量を変更する解像度調整手段を備えることを特徴とする映像情報処理装置。
【請求項２】
飛び越し走査の映像情報を受信する受信部と、
前記受信手段により受信した映像情報を一時記憶する映像情報記憶手段と、
前記映像情報記憶手段に記憶されている映像情報に動画情報が含まれていることを検出する動画像検出手段と、
前記動画像検出手段による検出結果に応じ、補間情報を生成する補間情報生成手段と、
前記補間情報生成手段により生成された補間情報を記憶する補間情報記憶手段と、
前記動画像検出手段による検出結果に応じ、前記映像情報記憶手段に記憶されている映像情報及び前記補間情報記憶手段に記憶されている映像情報のいずれかを選択して出力する映像情報選択手段と、
前記映像情報選択手段により選択された映像情報を任意の情報量に変換する解像度変換手段と、
を備え、
前記解像度変換手段は、前記動画像検出手段による検出結果に応じ、変換する情報量を変更する解像度調整手段を備えることを特徴とする映像情報処理装置。
【請求項３】
前記映像情報記憶手段は、
飛び越し走査の一画面の映像情報を一時記憶する第１の映像情報記憶手段と、前記受信部により受信し尚且つ一画面遡った、飛び越し走査による一画面の映像情報を一時記憶する第２の映像情報記憶手段と、
前記受信部により受信し且つ二画面遡った飛び越し走査の一画面の映像情報を一時記憶する第３の映像情報記憶手段と、
を備え、前記動画像検出手段は前記第１の映像情報記憶手段に記憶されている映像情報と前記第３の映像情報記憶手段に記憶されている映像情報とを比較することにより前記第１の映像情報記憶手段に記憶されている映像情報に動画情報が含まれていることを検出することを特徴とする請求項１又は２に記載の映像情報処理装置。
【請求項４】
前記動画像検出手段は、飛び越し走査の一画面の走査毎に検出結果を出力することを特徴とする請求項１乃至３の何れか１項に記載の映像情報処理装置。
【請求項５】
前記動画像検出手段は一走査線毎に検出を行い、更に飛び越し走査の一画面の走査毎に検出結果を判定する判定手段を備えることを特徴とする請求項１乃至３の何れか１項に記載の映像情報処理装置。
【請求項６】
前記動画像検出手段は一情報毎に検出を行い、更に飛び越し走査の一画面の走査毎に検出結果を判定する判定手段を備えることを特徴とする請求項１乃至３の何れか１項に記載の映像情報処理装置。
【請求項７】
前記映像情報処理装置は更に、前記動画像検出手段による検出結果を強制的に設定する検出結果設定手段を備えることを特徴とする請求項１乃至６の何れか１項に記載の映像情報処理装置。
【発明の詳細な説明】
【０００１】
【発明の属する技術分野】
本発明は、インターレース走査の映像信号をプログレッシブ走査の映像信号に変換する、テレビジョンにおける映像信号処理装置に関する。
【０００２】
【従来の技術】
近年、テレビジョン放送の方式として、アナログ伝送方式からデジタル伝送方式への移行が検討され、デジタル化という新たな技術革新を契機として、テレビジョン放送が情報通信メディアとして更に高度化し、飛躍的な発展を遂げようとしている。既に、国内では、ＣＳ（Ｃｏｍｍｕｎｉｃａｔｉｏｎ　Ｓａｔｅｌｌｉｔｅ：通信衛星）放送、及び、ＢＳ（Ｂｒｏａｄｃａｓｔｉｎｇ　Ｓａｔｅｌｌｉｔｅ：放送衛星）放送でのデジタル化が実現されている。更に現在、地上波においてもデジタル化の検討が進められており、近い将来、全ての放送波がデジタル方式に変わろうとしている。
【０００３】
デジタルテレビジョン放送のメリットは、アナログ方式では１チャンネル分に相当する周波数帯域で、デジタル方式では３チャンネル分の番組を伝送することができ、多チャンネル化が可能となることである。これにより、ニュースやスポーツ、或いはドラマなどを組み合わせたマルチ番組（混合多重編成番組）や、一つのチャンネル内で異なる三つの番組を放送するマルチチャンネル放送など、新たなサービスが実現される。
【０００４】
更に、デジタルテレビジョン放送では、映像や音声の放送に限らず、各種のデータ放送を付加した統合型の放送サービスが可能となる。データ放送を付加したサービスとしては、テレビ番組にデータ情報を付加してマルチメディア的サービスを提供するものと、テレビ番組とは別の独立したサービスを提供するものとに分けられ、主なサービスとしては、視聴者参加型テレビ、ホームショッピング、各種情報サービス、並びに、いつでも好きな時に見ることのできる天気予報及びニュースなどが挙げられる。
【０００５】
このようなデジタルテレビジョン放送に対応するために、テレビジョン放送の受信装置も進化を遂げており、薄型で大画面のプラズマディスプレイが登場し、従来のブラウン管型のテレビ受像機もデジタルテレビジョン放送に対応した高精細な解像度を有するものが出ている。これらの表示装置では、従来の１ライン毎の飛び越し走査によるインターレース走査での映像表示ではなく、順次走査によるプログレッシブ走査で映像が表示される。そのため、従来のアナログテレビジョン放送を表示する場合には、インターレース走査での映像情報をプログレッシブ走査による映像情報に変換し、更に表示装置の有する解像度に映像情報を変換する必要がある。以下、インターレース走査からプログレッシブ走査への変換をＩＰ（Ｉｎｔｅｒｌａｃｅ−Ｐｒｏｇｒｅｓｓｉｖｅ）変換と呼ぶ。
【０００６】
図９は、アナログテレビジョン放送をＩＰ変換してプログレッシブ走査による映像情報に変換し、デジタルテレビジョン放送対応の表示装置で表示する映像情報処理装置の基本構成を示す概略構成ブロック図である。
【０００７】
入力ビデオ信号は同期情報を含む輝度情報と色情報とにより構成される。Ａ／Ｄ変換器１０は、入力ビデオ信号をアナログ信号からデジタル信号に変換する。ビデオ信号処理部２０は、輝度情報から同期情報を分離して入力水平同期信号と入力垂直同期信号を生成すると共に、純粋な輝度情報としてのＹ信号を生成し、色情報から色差信号としてのＲ−Ｙ信号及びＢ−Ｙ信号を生成する。
【０００８】
ＩＰ変換処理部３０は、インターレース走査の映像情報から飛び越されたラインの補間データを生成し、プログレッシブ走査の映像情報を生成すると共に、後述する出力タイミング生成部６０により生成される内部水平同期信号と内部垂直同期信号に同期して、表示するための有効情報の出力期間を示すＡＣＴ信号と、生成したプログレッシブ走査の映像情報とを出力する。
【０００９】
ＩＰ変換処理部３０によりＩＰ変換された映像情報は、解像度変換処理部４０にて、表示する表示装置の解像度に合うように解像度の変換が行われ、解像度変換処理にて発生した遅延時間分を調整した同期信号としての出力水平同期信号と出力垂直同期信号と共に出力され、そのうちの映像情報に関してはＤ／Ａ変換器５０にてアナログ信号に変換されて出力される。
【００１０】
６０は出力タイミング生成部で、表示装置で表示を行うための同期信号（内部水平同期信号と内部垂直同期信号）を生成する。７０は制御部で、解像度変換処理部４０に対する倍率係数の設定等、全体の制御を行う。
【００１１】
従来のアナログテレビジョン放送でのインターレース走査による映像情報の表示を簡単に説明する。
【００１２】
図１０は、インターレース走査の映像情報が表示される様子を示す概念図である。従来のアナログテレビジョン放送では、１回のインターレース走査により表示される画面の単位をフィールドと呼ぶ。２枚のフィールド画面はお互いの飛び越した走査ラインを補間するような関係にあり、２回のインターレース走査で１枚の画面（これをフレームと呼ぶ。）が完成する。但し、各フィールドの画像は動画像を含む映像情報から生成されるので、動きのある映像において２枚のフィールド画面からフレーム画像を生成すると、図１１に示すように、動きのある部分に段差を生じてしまう。
【００１３】
一般的に、ＩＰ変換処理部３０では、プログレッシブ走査の映像情報を生成する際に動画像を検出し、フィールド情報に動画像が含まれていない場合には、図１０に示したように２枚のフィールド情報からフレーム情報を生成することにより、元の画像に等価な映像情報を生成し、フィールド情報に動画像が含まれている場合には、各フィールド毎に上下或いは近傍の画素から飛び越されたラインの画素情報を生成することにより、元の画像に近似した映像情報を生成する。
【００１４】
図１２は、ＩＰ変換処理部３０の構成を示すブロック図である。３０１，３０２，３０３は、入力されるビデオ信号をフィールド単位で記憶するフィールド情報記憶部であり、入力されたビデオ信号をフィールド毎に順番に記憶部３０１、３０２、３０３、３０１・・・といように循環的に記憶する。即ち、フィールド情報記憶部３０１，３０２，３０３には、現在、入力されているフィールド情報、１フィールド前に入力されたフィールド情報、２フィールド前に入力されたフィールド情報が、それぞれフィールド毎に各フィールド情報記憶部３０１，３０２，３０３を移りながら記憶されることとなる。
【００１５】
図１２では、フィールド情報記憶部３０１に現在、入力されているフィールド情報が記憶され、フィールド情報記憶部３０２に１フィールド前に入力されたフィールド情報が記憶され、フィールド情報記憶部３０３に２フィールド前に入力されたフィールド情報が記憶されるものとしている。
【００１６】
３０４は、後述する補間データ選択部３０８から出力される補間情報を記憶する補間情報記憶部である。記憶制御部３０５が、これらの情報記憶部３０１，３０２，３０３，３０４を制御する。
【００１７】
記憶制御部３０５は更に、出力タイミング生成部６０により生成された内部水平同期信号と内部垂直同期信号に従い、フィールド情報記憶部３０１又は補間情報記憶部３０４からデータを読み出し、表示するための有効情報の出力期間を示すＡＣＴ信号と共に出力する。
【００１８】
比較器３０６は、フィールド情報記憶部３０１に記憶されているフィールド情報とフィールド情報記憶部３０３に記憶されているフィールド情報とを比較することにより、現在、入力されているフィールド情報に動画像が含まれているかどうかを判定する。具体的には、比較器３０６は、記憶制御部３０５から出力される有効領域信号により、記憶制御部３０５から表示の行われる画素情報が出力されていることを検知し、有効領域信号が出力されている期間、フィールド情報記憶部３０１から読み出された画素情報とフィールド情報記憶部３０３から読み出された画素情報とを比較し、その結果を画素単位比較情報として出力する。
【００１９】
３０７は、動画像を検出した際に用いられる、上下或いは近傍の画素から飛び越されたラインの画素情報を生成する補間データ生成部、３０８は、比較器３０６から出力される画素単位比較情報に従い、補間データ生成部３０７から出力される画素データ及びフィールド情報記憶部３０２から読み出された画素データのうち一方を選択して出力する補間データ選択部である。即ち、補間データ選択部３０８は、比較器３０６から出力される画素単位比較情報により、現在、入力されているフィールド情報に動画像が含まれていると判断された場合には補間データ生成部３０７からのデータを選択して出力し、現在、入力されているフィールド情報に動画像が含まれていないと判断された場合には、フィールド情報記憶部３０２から読み出されたデータを選択して出力する。
【００２０】
【発明が解決しようとする課題】
このように、従来のＩＰ変換処理では、フィールド情報に動画像が含まれていない場合には元の画像と等価な映像情報を生成できるが、フィールド情報に動画像が含まれている場合には、補間される情報は近傍の画素から近似したものとなり、特に物体の輪郭部においてはぼやけた感じの画像となってしまう。
【００２１】
更に、後段の解像度変換処理部４０では、このように近傍の画素から近似して生成された画素情報をオリジナルの画素データとみなして補間処理を行ってしまうので、更に画質を劣化させてしまう。
【００２２】
補間した情報をオリジナルの画素データとみなして更に処理を加えることで画質の劣化を招くという課題を解決する方法として、特開２００１−０３６８３１号公報には、補間した情報であることを示す情報を信号に付加する構成が記載されている。しかし、同公報に記載される構成では、ＩＰ変換以降の処理において補間した情報であることを示す情報を監視する手段が必要となり、更には、補間した情報がある場合と無い場合とで処理を別に設ける必要があり、処理装置の複雑さを増す。
【００２３】
本発明は、このような従来の問題点に鑑みてなされたものであり、ＩＰ変換処理においてフィールド情報に動画像が含まれている場合にも良質なプログレッシブ画像を生成できる映像情報処理装置を提示することを目的とする。
【００２４】
【課題を解決するための手段】
上記目的を達成するために、本発明では、インターレース走査による映像情報の処理装置に於いて、飛び越し走査による映像情報を受信する受信手段と、受信手段により受信した映像情報を記憶しておくための映像情報記憶手段と、映像情報記憶手段に記憶されている映像情報に動画情報が含まれていることを検出する動画像検出手段と、映像情報記憶手段に記憶されている映像情報を任意の情報量に変換する解像度変換手段とを備え、更に解像度変換手段は、動画像検出手段による検出結果に応じ、変換する情報量を変える解像度調整手段を備える。
【００２５】
【実施例】
以下、図面を参照して、本発明の実施例を詳細に説明する。
【００２６】
（第１実施例）
図１は、本発明の一実施例としてのＩＰ変換処理部の概略構成ブロック図である。本実施例において、アナログテレビジョン放送をＩＰ変換してプログレッシブ走査の映像情報に変換し、デジタルテレビジョン放送対応の表示装置で表示を行う為の情報に変換するという映像信号のおおまかな流れは、図９に示した従来の映像情報処理装置の構成と同じとなる。
【００２７】
図１２に示す従来例と比較して、補間情報記憶部３０４、補間データ生成部３０７及び補間データ選択部３０８が削除されている。即ち、本実施例では、近傍の画素からの近似による補間データの生成を行わないので、これらの要素は不要となる。
【００２８】
フィールド情報記憶部３１１，３１２，３１３は、フィールド情報記憶部３０１，３０２，３０３と同様に、入力されるビデオ信号をフィールド単位で循環的に記憶する。記憶制御部３１５は、フィールド情報記憶部３１１，３１２，３１３を制御する。以下の説明では、フィールド情報記憶部３１１に現在のフィールドの映像情報が格納され、フィールド情報記憶部３１２には１フィールド前の映像情報が格納され、フィールド情報記憶部３１３には２フィールド前の映像情報が格納されているとする。
【００２９】
比較器３１６は、フィールド情報記憶部３１１に記憶されているフィールド情報とフィールド情報記憶部３１３に記憶されているフィールド情報とを比較し、ビデオ信号処理部２０から出力される垂直同期信号のタイミングで、それまでに比較を行った結果の論理オアの情報を１ビットのフィールド単位比較情報として出力する。即ち、比較器３１６から出力されるフィールド単位比較情報が”１”の場合、入力された１フィールド分の映像情報に動画像が含まれていることを示し、”０”の場合には、入力された１フィールド分の映像情報に動画像が含まれていないことを示す。
【００３０】
記憶制御部３１５は、比較器３１６から出力されるフィールド単位比較情報に応じて、出力すべき映像情報を決定する。即ち、フィールド単位比較情報が”０”の場合、記憶制御部３１５は、フィールド情報記憶部３１１に記憶されているフィールド情報とフィールド情報記憶部３１２に記憶されているフィールド情報とを、出力タイミング生成部から出力される内部水平同期信号のタイミングで交互に出力する。これにより、図１０で示すように、１フィールド分過去のフィールド情報を補間データとするＩＰ変換が実現される。
【００３１】
フィールド単位比較情報が”１”の場合、記憶制御部３１５は、フィールド情報記憶部３１１に記憶されているフィールド情報のみを、出力タイミング生成部から出力される出力水平同期信号の２回に１回の割合で出力する。この様子を、図２に示す。
【００３２】
図３は、本発明の一実施例としての解像度変換処理部４０の概略構成ブロック図である。
【００３３】
４０１は解像度変換部であり、入力された映像情報を任意の解像度へ変換する。解像度変換部４０１における解像度変換手法としては、公知の方法を利用できる。例えば、近傍の４画素から補間する画素を求める直線補間手法、又は近傍の１６画素から補間する画素を求めるＣｕｂｉｃ補間手法等が用いられる。
【００３４】
４０２は横方向の倍率を設定するＸ方向倍率係数設定部、４０３は、縦方向の倍率を設定するＹ方向倍率係数設定部である。Ｘ方向倍率係数設定部４０２及びＹ方向倍率係数設定部４０３の係数は、制御部７０により設定される８ビットのデータであり、上位１ビットが整数部、残りの下位７ビットが小数部を示すものとする。Ｙ方向倍率係数設定部４０３のデータから、最上位ビットに“０”が付加された静止画用Ｙ方向倍率係数情報４０４と、最下位ビットに“０”が付加された動画用Ｙ方向倍率係数情報４０５とが生成される。
【００３５】
セレクタ４０６は、比較器３０６から出力されるフィールド単位比較情報に従い、情報４０４，４０５のどちらか一方を選択して解像度変換部４０１に供給する。即ち、ＩＰ変換処理部３０から出力される映像情報がＩＰ変換されたものであれば、Ｙ方向倍率係数設定部４０３に設定されたデータがそのまま採用され、入力された１フィールド分の映像情報に動画像が含まれ、ＩＰ変換処理部３０からＩＰ変換されない映像情報が出力された場合には、Ｙ方向倍率係数設定部４０３に設定されたデータを２倍したデータが解像度変換部４０１に渡される。これにより、結果的に、解像度変換部４０１でＩＰ変換の処理も行われることとなる。
【００３６】
解像度変換部４０１で補間データが生成される様子を、図４に示す。図４は、説明を簡単にするために、解像度変換部４０１には等倍の設定がされ、ＩＰ変換処理部３０からはフィールド単位比較情報が”１”で、出力水平同期信号の２回に１回の割合でＩＰ変換されない映像情報が出力される時の様子を示している。
【００３７】
図４に示す例のとき、セレクタ４０６は、Ｙ方向の倍率係数として動画用Ｙ方向倍率係数情報４０５を選択し、解像度変換部４０１にはＹ方向の倍率係数が２倍として入力される。その結果、解像度変換部４０１は、入力された１ライン分の映像情報から２ライン分の映像情報を生成する。即ち、過去に入力された映像情報と新規に入力された映像情報とから補間データを生成し、生成した出力水平同期信号のタイミングで、生成した補間データを出力すると共に、次の出力水平同期信号のタイミングで、入力された映像情報を出力する。
【００３８】
このように、解像度変換部４０１では、ＩＰ変換処理部３０において入力された１フィールド分の映像情報に動画像が含まれていることが検出されたことによりＩＰ変換されない映像情報が出力され、解像度変換部４０１において縦方向を本来の倍率係数よりも２倍の倍率係数で処理を行わなければならないとしても、この場合にはＩＰ変換処理部３０から１ラインおきに映像情報が出力されるため、解像度変換部４０１においては高速処理を要求されることなく、本来の処理と同じように処理すれば良いこととなる。
【００３９】
以上、説明した構成によれば、インターレース走査の映像情報が入力され、その映像情報をＩＰ変換処理及び解像度変換処理して表示装置に表示させるような映像情報処理装置において、入力された１フィールド分の映像情報に動画像が含まれているかどうかを検出し、そのフィールド情報に動画像が含まれている場合にはＩＰ変換処理において従来のような近傍の画素からの近似による補間データを生成するといったことを行わずに、入力されたインターレース走査による映像情報をそのまま出力し、後段の解像度変換処理部においてＩＰ変換処理にて生成されなかった補間データを含めた解像度変換処理を行うとしたので、解像度変換処理部では、入力された映像情報をそのまま用いた解像度変換処理が行われることとなり、画質の劣化を抑えた、インターレース走査の映像情報の処理が可能となる。
【００４０】
また更に、以上、説明した構成によれば、図１２に示した従来のＩＰ変換処理部の構成と図１に示した本発明の一実施例としてのＩＰ変換処理部の構成とを比較してわかるように、ＩＰ変換処理部の簡素化を図ることが可能となる。
【００４１】
尚、解像度変換部４０１から出力される、プログレッシブ走査に変換された映像情報は、プログレッシブ走査で映像の表示が行われる表示装置に表示されるものと限ったものではなく、例えばデジタルテレビジョン放送規格での１０８０Ｉの表示フォーマットのような、入力される映像情報とは異なる情報量で表示が行われるインターレース走査による表示装置に用いることも、また、映像情報の入力手段を複数有し、一つの入力手段からの映像情報を縮小して複数の入力手段からの映像情報を同時に表示するような表示装置に用いることも可能である。
【００４２】
（第２実施例）
第１実施例では、１フィールド分の映像情報から動画像の有無を判断している。即ち、入力された１フィールド分の映像情報の中で１ラインでも動画像が検出された場合には、ＩＰ変換処理部ではそのフィールドでのＩＰ変換処理を行わずに、入力されたインターレース走査の映像情報をそのまま出力している。
【００４３】
これに対し、第２実施例では、ライン単位で動画像を検出し、動画像の検出されたラインの本数が所定本数以上である場合に、ＩＰ変換処理部ではそのフィールドでのＩＰ変換処理を行わずに、入力されたインターレース走査の映像情報をそのまま出力し、動画像の検出されたラインが所定本数未満である場合には、従来通り、静止画個所においては２枚のフィールド情報からフレーム情報を生成し、動画個所においては、各フィールド毎に上下或いは近傍の画素から飛び越されたラインの画素情報を生成してプログレッシブ走査の映像情報へ変換する。
【００４４】
図５は、第２実施例でのＩＰ変換処理部３０の一構成例を示すブロック図である。図５では、図１２で示した従来のＩＰ変換処理部３０に対し、動画／静止画判定部３１９が追加されている。
【００４５】
３１４は、補間情報記憶部３０４と同様の機能の補間情報記憶部、３１７は、補間データ生成部３０７と同様の機能の補間データ生成部、３１８は、補間データ選択部３０８と同様の補間データ選択部である。
【００４６】
比較器３１６は、まず、フィールド情報記憶部３１１に記憶されているフィールド情報とフィールド情報記憶部３１３に記憶されているフィールド情報とを画素単位で比較し、ビデオ信号処理部２０から出力される入力水平同期信号のタイミングで、それまでに比較を行った結果の論理オアの情報をそのラインでの比較情報として出力する。この処理を全ての表示有効画素に対して行い、その結果として全てのラインについて比較情報が生成され、これをライン単位比較情報として出力する。
【００４７】
図６は、ライン単位比較情報の生成される様子を示す模式図である。図６は、無地の画面上に“Ｌ”という文字が表示されたときの様子を示す。
【００４８】
比較器３１６は、表示有効ラインの画素毎に過去の画素情報との比較を行い、ライン上に１画素でも変化した画素が存在する場合、そのラインにおけるライン単位比較情報に“１”をセットする。このようにして生成されたライン単位比較情報は、入力垂直同期信号のタイミングで動画／静止画判定部３１９に渡され、その後、全ての情報が“０”にクリアされて、再びライン毎の比較結果が格納される。
【００４９】
動画／静止画判定部３１９は、入力垂直同期信号のタイミングで比較器３１６から出力されるライン単位比較情報を取りこみ、ライン単位比較情報に含まれる“１”の数を計測し、その値が所定数以上である場合にはフィールド単位比較情報として“１”を出力し、所定数未満である場合にはフィールド単位比較情報として“０”を出力する。
【００５０】
記憶制御部３１５は、動画／静止画判定部３１９から出力されるフィールド単位比較情報に応じて、出力すべき映像情報を選択する。即ち、フィールド単位比較情報が”０”の場合には、フィールド情報記憶部３１１に記憶されているフィールド情報と補間情報記憶部３１４に記憶されている補間情報とを、出力タイミング生成部６０から出力される内部水平同期信号のタイミングで交互に出力する。図１２を参照して説明したように、比較器３１６により現在、入力されている画素情報が動画像であると判断された場合には、補間データ生成部３１７から出力される画素データが、現在、入力されている画素情報が動画像でないと判断された場合にはフィールド情報記憶部３１２から読み出された画素データが、それぞれ、補間データ選択部３１８により選択される。フィールド単位比較情報が”１”の場合には、フィールド情報記憶部３１１に記憶されているフィールド情報のみを、出力タイミング生成部から出力される出力水平同期信号の２回に１回の割合で出力する。
【００５１】
本実施例において、解像度変換処理部４０の構成は、第１実施例の図３で説明した構成と同じものとなる。
【００５２】
以上説明した構成によれば、インターレース走査の映像情報が入力され、その映像情報をＩＰ変換処理及び解像度変換処理して表示装置に表示させるような映像情報処理装置に於いて、入力された１フィールド分の映像情報に動画像が含まれているかどうかをライン毎に検出し、動画像の検出されたラインの本数が所定本数以上である場合においてのみ、ＩＰ変換処理において近傍の画素からの近似による補間データ生成処理を行わずに、入力されたインターレース走査の映像情報をそのまま出力し、後段の解像度変換処理部においてＩＰ変換処理にて生成されなかった補間データを含めた解像度変換処理が行われることとなるので、静止画情報の多い映像情報で尚且つ動画情報の表示が画質の劣化を生じてもわからないくらい小さな領域で行われているような場合には、静止画情報の画質を優先したＩＰ変換処理部でのＩＰ変換処理結果が採用されることとなる。
【００５３】
尚、この実施例では、ライン単位で動画／静止画を判定し、その本数でＩＰ変換処理をＩＰ変換処理部で行うか後段の解像度変換処理部で行うかを決定するとしたが、これを、画素単位で動画／静止画を判断し、動画像の検出された画素数が所定画素数以上であるかどうかでＩＰ変換処理をＩＰ変換処理部で行うか後段の解像度変換処理部で行うかを決定することにより、画素単位での処理も可能である。
【００５４】
（第３実施例）
第１実施例及び第２実施例では、インターレース走査による映像情報が入力され、その映像情報をＩＰ変換処理及び解像度変換処理して表示装置に表示させるような映像情報処理装置に於いて、入力された１フィールド分の映像情報に動画像が含まれているかどうかをフィールド単位、ライン単位又は画素単位で自動検出し、そのフィールド情報に動画像が所定量以上含まれている場合にはＩＰ変換処理において近傍の画素からの近似による補間データ生成を行わずに、入力されたインターレース走査の映像情報をそのまま出力し、後段の解像度変換処理部においてＩＰ変換処理にて生成されなかった補間データを含めた解像度変換処理を行う構成を説明した。しかし、たとえ小さな静止画像でも、きれいな映像で見たいという要求が視聴者によってはあるかもしれない。また、第２実施例で示した構成においても、たとえ小さな動画像でもきれいな映像で見たいという要求が視聴者によってはあるかもしれない。
【００５５】
そこで、第３実施例として、ＩＰ変換処理をＩＰ変換処理部で行うか後段の解像度変換処理部で行うかを自動決定する以外に、どちらかを強制的に選択できる手段を設けることにより、視聴者が好みに応じて静止画情報の表示品位を優先した処理か、動画情報の表示品位を優先した処理かを選択できるようになる。
【００５６】
図７は、第３実施例における映像情報処理装置の一構成例を示したブロック図である。図９で示した従来の映像情報処理装置の構成に対し、情報受信部８０が付加されている。
【００５７】
情報受信部８０は、例えば、視聴者により操作されるリモートコントローラから発生される赤外線を受信する赤外線受光部のような、視聴者からの情報を入力する手段であり、情報受信部８０が受け取った情報は制御部７０に渡され、制御部７０は、視聴者により指示された情報に従い各処理部を制御する。この実施例では、視聴者による指示に従い、ＩＰ変換処理部３０に対し画質選択情報及び自動比較設定情報が出力される。
【００５８】
図８は、本実施例でのＩＰ変換処理部３０の一構成例を示したブロック図である。図８では、図５で示す第２の実施例におけるＩＰ変換処理部３０の構成を示すブロック図に対し、比較情報選択部３２０が追加されている。
【００５９】
比較情報選択部３２０は単純な切換え機構で構成されており、制御部７０から出力される１ビットの自動比較設定情報に従い、動画／静止画判定部３１９からの出力及び制御部７０から出力される画質選択情報のいずれか一方を選択して、フィールド単位比較情報として出力する。
【００６０】
制御部７０から出力される画質選択情報は１ビットの情報であり、動画／静止画判定部３１９からの出力と同様に、”０”の場合には、フィールド情報記憶部３１１に記憶されているフィールド情報と補間情報記憶部３１４に記憶されている補間情報とを、出力タイミング生成部から出力される内部水平同期信号のタイミングで交互に出力することを指示し、”１”の場合には、フィールド情報記憶部３１１に記憶されているフィールド情報のみを、出力タイミング生成部から出力される出力水平同期信号の２回に１回の割合で出力することを指示する信号である。
【００６１】
即ち、本実施例では、情報受信部８０を介して視聴者からＩＰ変換処理を固定にするという指示があった場合、制御部７０は自動比較設定情報として“０”を出力することで、比較情報選択部３２０は制御部７０から出力される画質選択情報をフィールド単位比較情報として出力することとなり、動画／静止画判定部３１９により出力される情報に依らず、制御部７０から出力される画質選択情報に従い、ＩＰ変換処理部３０及び解像度変換処理部４０の動作が決定される。
【００６２】
また、視聴者からＩＰ変換処理を固定にするという指示が解除された場合、制御部７０は、自動比較設定情報として“１”を出力することで、比較情報選択部３２０は動画／静止画判定部３１９により出力される情報をフィールド単位比較情報として出力することとなり、第１実施例及び第２実施例で説明したように、入力された１フィールド分の映像情報に動画像が含まれているかどうかをフィールド単位、ライン単位又は画素単位で検出し、その検出結果に応じてＩＰ変換処理をＩＰ変換処理部３０で行うか後段の解像度変換処理部４０で行うかが決定される。
【００６３】
ここで、第３実施例における解像度変換処理部４０の構成は、第１実施例の図３で説明した構成と同じものとなる。
【００６４】
以上説明した構成によれば、ＩＰ変換手法を自動で選択するか、強制的に選択するかを切換えることのできる手段を設けたことにより、視聴者により静止画情報の表示品位を優先した処理で行うか或いは動画情報の表示品位を優先した処理で行うかを選択することが可能となる。
【００６５】
【発明の効果】
以上の説明から容易に理解できるように、本発明によれば、インターレース走査の映像情報の、画質の劣化を抑えた処理が可能となる。また、従来のＩＰ変換処理手段と比較した場合に、ＩＰ変換処理手段の簡素化を図ることが可能となる。
【００６６】
ライン単位又は画素単位で動画／静止画を判断し、その数でＩＰ変換処理をＩＰ変換処理部で行うか後段の解像度変換処理部で行うかを決定することにより、静止画情報の多い映像情報で尚且つ動画情報の表示が画質の劣化が生じてもわからないくらい小さな領域で行われているような場合には、たとえ入力された１フィールド分の映像情報に動画像が含まれているとしても、静止画情報の画質を優先した映像情報の処理を行うことが可能となる。
【００６７】
ＩＰ変換処理をＩＰ変換処理部で行うか後段の解像度変換処理部で行うかを自動決定する以外に、どちらかを強制的に選択できる手段を設けたことにより、視聴者が好みに応じて静止画情報の表示品位を優先した処理で行うか、動画情報の表示品位を優先した処理で行うかを選択することが可能となる。
【図面の簡単な説明】
【図１】本発明の第１実施例におけるＩＰ変換処理部の構成を示したブロック図である。
【図２】第１実施例において，ＩＰ変換処理部から映像情報の出力される様子を示すタイミングチャート図である。
【図３】本発明の実施例における解像度変換処理部の構成を示すブロック図である。
【図４】本発明の実施例において、解像度変換処理部から映像情報の出力される様子を示すタイミングチャート図である。
【図５】第２実施例におけるＩＰ変換処理部の構成を示すブロック図である。
【図６】第２実施例において、ＩＰ変換処理部にてライン単位比較情報が生成される様子を示す模式図である。
【図７】第３実施例における映像信号処理装置の構成を示したブロック図である。
【図８】第３実施例におけるＩＰ変換処理部の構成を示すブロック図である。
【図９】従来の映像信号処理装置の構成を示したブロック図である。
【図１０】インターレース走査方式の映像信号で映像情報が表現される様子を示した模式図である。
【図１１】インターレース走査方式の映像信号で動画像が表現される時の様子を示した模式図である。
【図１２】従来のＩＰ変換処理部の構成を示したブロック図である。
【符号の説明】
１０：Ａ／Ｄ変換器
２０：ビデオ信号処理部
３０：ＩＰ変換処理部
４０：解像度変換処理部
５０：Ｄ／Ａ変換器
６０：出力タイミング生成部
７０：制御部
８０：情報受信部
３０１，３０２，３０３：フィールド情報記憶部
３０４：補間情報記憶部
３０５：記憶制御部
３０６：比較器
３０７：補間データ生成部
３０８：補間データ選択部
３１１，３１２，３１３：フィールド情報記憶部
３１４：補間情報記憶部
３１５：記憶制御部
３１６：比較器
３１７：補間データ生成部
３１８：補間データ選択部
３１９：動画／静止画判定部
３２０：比較情報選択部
４０１：解像度変換部
４０２：Ｘ方向倍率係数設定部
４０３：Ｙ方向倍率係数設定部
４０４：静止画用Ｙ方向倍率係数情報
４０５：動画用Ｙ方向倍率係数情報
４０６：セレクタ
【図１】
2004056316.tif 000003
【図２】
2004056316.tif 000004
【図３】
2004056316.tif 000005
【図４】
2004056316.tif 000006
【図５】
2004056316.tif 000007
【図６】
2004056316.tif 000008
【図７】
2004056316.tif 000009
【図８】
2004056316.tif 000010
【図９】
2004056316.tif 000011
【図１０】
2004056316.tif 000012
【図１１】
2004056316.tif 000013
【図１２】
2004056316.tif 000014